(57)【要約】【課題】垂木の間隔寸法のばらつきに対処して取り付けを行なうことができ、しかもスペーサを別途用いる必要なく、通気間隙を形成することができる屋根用断熱部材を提供する。【解決手段】垂木１間に配置して野地板２の下側に取り付けられる屋根用断熱部材Ａに関する。断熱材３の上面にシート材４を貼り付けると共に、断熱材３の垂木１側の両側端部に、下面から上面の近傍に至る切り込み５を、断熱材３の側端面と平行に所定間隔で複数本設け、任意の切り込み５の箇所で、この切り込み５より外側の断熱材３の側端部を上面側に折り返し屈曲可能に形成する。垂木１の間隔に合わせて、断熱材３の両側端部を切り込み５の箇所において上側に折り返して屈曲することによって、屋根用断熱部材Ａの取り付けを行なうことができる。また断熱材３の上面に重ねた部分がスペーサとなって、野地板２と断熱材３との間に通気間隙８が形成される。【選択図】図１
2010007378.tif 000002
【特許請求の範囲】
【請求項１】
垂木間に配置して野地板の下側に取り付けられる屋根用断熱部材であって、断熱材の上面にシート材を貼り付けると共に、断熱材の垂木側の両側端部に、下面から上面の近傍に至る切り込みを、断熱材の側端面と平行に所定間隔で複数本設け、任意の切り込みの箇所で、この切り込みより外側の断熱材の側端部を上面側に折り返し屈曲可能に形成して成ることを特徴とする屋根用断熱部材。
【請求項２】
シート材としてアルミニウムシートを用いて成ることを特徴とする請求項１に記載の屋根用断熱部材。
【請求項３】
切り込みを設けた箇所において、断熱材の下面に切断可能な補強シートを貼り付けて成ることを特徴とする請求項１又は２に記載の屋根用断熱部材。
【請求項４】
屋根頂部において野地板に換気口を設け、小屋裏の空気を換気口を通して換気するようにした屋根の換気構造であって、請求項１乃至３のいずれかに記載の屋根用断熱部材の断熱材の両側端部を、垂木の間隔寸法に適合する箇所の切り込みで折り返し屈曲して上面側に重ね、この屋根用断熱部材を垂木間に配置して野地板の下側に取り付けることによって、野地板の下面と断熱材の上面の間に上記の折り返し屈曲した断熱材の側端部の厚みで通気間隙を形成し、この通気間隙を小屋裏内と換気口とに連通させて成ることを特徴とする屋根の換気構造。
【発明の詳細な説明】
【技術分野】
【０００１】
本発明は、屋根の野地板の下側に取り付けて使用される屋根用断熱部材、及びこの屋根用断熱部材を用いて形成される屋根の換気構造に関するものである。
【背景技術】
【０００２】
住宅の屋根は、図７（ａ）（ｂ）に示すように、母屋１５の上に配置される垂木１の上に野地板２を張り渡して取り付けて屋根下地を形成し、そして屋根下地のこの野地板２の上に屋根瓦を葺くことによって、施工されている。
【０００３】
このような屋根において、小屋裏（屋根裏）を居住スペースや収納スペースなどとして使用する場合、屋根面を断熱構造に形成する必要がある。このため、図８（ａ）に示すように、断熱部材Ｂを垂木１間に配置して野地板２の下側に取り付け、断熱部材Ｂで屋根の断熱性を確保するようにしてあり、さらに断熱部材Ｂの上にスペーサ１６を設けることによって、スペーサ１６で断熱部材Ｂと野地板２の間に通気間隙８を形成し、この通気間隙８で断熱性をさらに高めるようにしてある。従ってこのように断熱部材Ｂを垂木１間に配置して取り付けるにあたっては、垂木１間の間隔寸法に適合した幅寸法の断熱部材Ｂを用い、断熱部材Ｂの両側端面を垂木１に密接させて取り付けることによって、断熱漏れとなる隙間が生じないようにする必要がある。
【０００４】
しかし、屋根を施工する際に、現場で割付採寸して垂木１の取り付けを行なうため、垂木１の間隔寸法にはばらつきがあり、特に部屋の間取りなどに合わせて部分的に垂木１の間隔を若干変えることもあり、垂木の１の間隔寸法と断熱部材Ｂの幅寸法とが一致ないことが多い。そして垂木１の間隔寸法が断熱部材Ｂの幅寸法よりも大きいと、垂木１と断熱部材Ｂとの間に隙間が生じて断熱性が低下し、また逆に垂木の１の間隔寸法が断熱部材Ｂの幅寸法よりも小さいと、垂木１間に取り付けられる断熱部材Ｂが屈曲して図８（ａ）にも示すように野地板２と断熱部材Ｂとの間の通気間隙８が塞がれるおそれがあるという問題があった。
【０００５】
そこで図８（ｂ）に示すように、断熱部材Ｂの両側端部に、下面側から切り込むスリット１７と上面側から切り込むスリット１７を交互に設けることが提案されている。このものは、スリット１７の幅が変動することによって、断熱部材Ｂが幅方向に弾性変形可能になっており、断熱部材Ｂの幅寸法を調整して垂木１の間隔寸法のばらつきに適合できるようにしたものである（例えば、特許文献１参照）。
【特許文献１】特開２００６−１２５１３８号公報
【発明の開示】
【発明が解決しようとする課題】
【０００６】
しかし、図８（ｂ）のように断熱部材Ｂにスリット１７を設けても、スリット１７による寸法調整はわずかなものであって、垂木１の間隔寸法の大きなばらつきには対処することができないという問題があった。また図８（ａ）のように、断熱部材Ｂと野地板２の間に通気間隙８を形成するためには、別途、スペーサ１６を準備して用いる必要があるという問題もあった。
【０００７】
本発明は上記の点に鑑みてなされたものであり、垂木の間隔寸法のばらつきに対処して取り付けを行なうことができ、しかもスペーサを別途用いる必要なく、通気間隙を形成することができる屋根用断熱部材を提供することを目的とするものであり、また屋根面の断熱性に優れた屋根の換気構造を提供することを目的とするものである。
【課題を解決するための手段】
【０００８】
本発明に係る屋根用断熱部材は、垂木１間に配置して野地板２の下側に取り付けられる屋根用断熱部材であって、断熱材３の上面にシート材４を貼り付けると共に、断熱材３の垂木１側の両側端部に、下面から上面の近傍に至る切り込み５を、断熱材３の側端面と平行に所定間隔で複数本設け、任意の切り込み５の箇所で、この切り込み５より外側の断熱材３の側端部を上面側に折り返し屈曲可能に形成して成ることを特徴とするものである。
【０００９】
施工現場で垂木１の間隔に合わせて、断熱材３の両側端部を切り込み５の箇所において上側に折り返して屈曲することによって、垂木１の間隔寸法に大きなばらつきがあっても、折り返し屈曲する切り込み５を選択することで対応することができ、垂木１の間隔寸法のばらつきに対処して屋根用断熱部材Ａの取り付けを行なうことができるものである。またこのように断熱材３の両側端部を切り込み５の箇所で上側に折り返して屈曲すると、断熱材３の切り込み５より外側の側端部３ａが断熱材３の上面に重ねられ、この重ねられた断熱材３の側端部３ａがスペーサとなって、野地板２と断熱材３との間に通気間隙８を形成できるものであり、スペーサを別途用いる必要なく、通気間隙８を形成することができるものである。
【００１０】
また本発明は、上記のシート材４としてアルミニウムシートを用いて成ることを特徴とするものである。
【００１１】
上記のように断熱材３の側端部を切り込み５の箇所で折り返し屈曲する際に、断熱材３の側端部が分離することをシート材４で防ぐことができるが、アルミニウムシートで形成したシート材４は折り曲げ強度が高く、折り返した断熱材３が分離することを確実に防ぐことができるものであり、しかもアルミニウムシートの熱反射による遮熱効果で、屋根面の断熱効果を高めることができるものである。
【００１２】
また本発明は、切り込み５を設けた箇所において、断熱材３の下面に切断可能な補強シート６を貼り付けて成ることを特徴とするものである。
【００１３】
屋根用断熱部材Ａを運搬や施工する際に、断熱材３の側端部が切り込みに５によって折れ曲がったりすることを補強シート６で防ぐことができ、屋根用断熱部材Ａの取り扱いが容易になると共に、補強シート６を切り込み５の箇所で切断することによって、断熱材３を切り込み５で折り返し屈曲する作業に支障が生じることはないものである。
【００１４】
本発明に係る屋根の換気構造は、屋根頂部において野地板２に換気口７を設け、小屋裏の空気を換気口７を通して換気するようにした屋根の換気構造であって、上記の屋根用断熱部材Ａの断熱材３の両側端部を、垂木１の間隔寸法に適合する箇所の切り込み５で折り返し屈曲して上面側に重ね、この屋根用断熱部材Ａを垂木１間に配置して野地板２の下側に取り付けることによって、野地板２の下面と断熱材３の上面の間に上記の折り返し屈曲した断熱材３の側端部の厚みで通気間隙８を形成し、この通気間隙８を小屋裏内と換気口７とに連通させて成ることを特徴とするものである。
【００１５】
このように、屋根用断熱部材Ａを野地板２の下側に取り付けて、野地板２の下面と断熱材３の上面の間に通気間隙８を形成することによって、断熱材３と通気間隙８とで屋根面の断熱性を二重に得ることができるものであり、また通気間隙８は屋根裏内と換気口７とに連通しているために、屋根面を介して通気間隙８内の空気が加熱されても、この温度上昇した空気は換気口７から排出されると共に小屋裏の低い温度の空気が通気間隙８に流入し、通気間隙８による屋根面の遮熱効果を高く得ることができ、屋根面の断熱性を高めることができるものである。
【発明の効果】
【００１６】
本発明の屋根用断熱材Ａによれば、施工現場で垂木１の間隔に合わせて、断熱材３の両側端部を切り込み５の箇所において上側に折り返して屈曲することによって、垂木１の間隔寸法に大きなばらつきがあっても、折り返し屈曲する切り込み５を選択することで対応することができ、施工現場で垂木１の間隔寸法のばらつきに対処して屋根用断熱部材Ａの取り付けを行なうことができるものである。またこのように断熱材３の両側端部を切り込み５の箇所で上側に折り返して屈曲すると、断熱材３の切り込み５より外側の側端部が断熱材３の上面に重ねられ、この重ねられた断熱材３の側端部がスペーサとなって、野地板２と断熱材３との間に通気間隙８を形成できるものであり、スペーサを別途用いる必要なく、通気間隙８を形成することができるものである。
【００１７】
本発明の屋根の換気構造によれば、屋根用断熱部材Ａを野地板２の下側に取り付けて、野地板２の下面と断熱材３の上面の間に通気間隙８を形成することによって、断熱材３と通気間隙８とで屋根面の断熱性を二重に得ることができるものであり、また通気間隙８は屋根裏内と換気口７とに連通しているために、屋根面を介して通気間隙８内の空気が加熱されても、この温度上昇した空気は換気口７から排出されると共に屋根裏の低い温度の空気が通気間隙８に流入し、通気間隙８による屋根面の遮熱効果を高く得ることができ、屋根面の断熱性を高めることができるものである。
【発明を実施するための最良の形態】
【００１８】
以下、本発明を実施するための最良の形態を説明する。
【００１９】
断熱材３は発泡体などによって平板状に形成されるものであり、例えば、発泡ポリスチレンや発泡ポリエチレンなど、形状を保つことができる硬質発泡体で形成するのが好ましい。また断熱材３の厚みは、断熱性能と保形性のうえから１２ｍｍ以上であることが好ましい。この断熱材３は矩形に形成されるものであり、その短手側の幅寸法は、家屋に施工される垂木１の間隔寸法よりも２０ｍｍ程度大きくなるように設定されるものである。例えば、尺モジュール住宅の場合は垂木１の間隔は４５５ｍｍに設計されるので、この場合には断熱材３の幅寸法を４７５ｍｍに設定し、またメーターモジュール住宅の場合は垂木１の間隔は５００ｍｍに設計されるので、この場合には断熱材３の幅寸法を５２０ｍｍに設定するものである。
【００２０】
この断熱材３の上面には全面に亘って図１（ａ）に示すようにシート材４が接着して貼り付けてある。シート材４は屈曲が自在で且つ容易に破断しないものであればよく、例えば不織布などを用いることができる。
【００２１】
また断熱材３の両側端部には長手辺の全長に沿って切り込み５が図２のように設けてある。この切り込み５は図１（ａ）に示すように断熱材３の下面から上面の近傍に至る深さで形成されるものである。切り込み５の上端から断熱材３の上面までの、切り込みを入れないで残す寸法は、断熱材３の平板状が保たれるように容易に破断されることがなく、且つ切り込み５の箇所で断熱材３を折り返し屈曲する際には、作業者の手の力で容易に折曲することができるように、設定されるものである。またこの切り込み５は、断熱材３の側端面と平行に所定の一定間隔で複数本形成されるものである。例えば、切り込み５の間隔を５ｍｍに設定し、断熱材３の両側端からそれぞれ１００ｍｍの幅の範囲に切り込み５を形成するようにしてある。
【００２２】
このように、断熱材３の上面にシート材４を貼り付けると共に断熱材３の両側端部の下面に切り込み５を設けることによって、本発明に係る屋根用断熱部材Ａを作製することができるものであり、次に、この屋根用断熱部材Ａを用いた断熱屋根について説明する。屋根は既述のように垂木１の上に野地板２を張り渡して取り付けて屋根下地を形成し、屋根下地の野地板２の上に屋根瓦を葺くことによって形成されるものであり、屋根用断熱部材Ａは隣り合う垂木１の間に配置して野地板２の下側に取り付けられるものである。
【００２３】
上記のように屋根用断熱部材Ａの断熱材３はその幅寸法は垂木１の間隔寸法より大きくなるように設定してあるので、まず家屋の施工現場で、屋根用断熱部材Ａを取り付ける箇所での垂木１の間隔寸法を測定し、この垂木１の間隔寸法に適合する箇所の切り込み５において断熱材３の両側端部を上側に折り返し屈曲する。すなわち、垂木１の間隔寸法Ｌ１と、断熱材３の一方の側端部の切り込み５と他方の側端部の切り込み５の間の寸法Ｌ２の距離が適合するように、断熱材３の両側端部の切り込み５を選択し、図１（ｂ）に示すように各切り込み５より外側の断熱材３の端部を上側に屈曲して折り返し、この折り返し屈曲した断熱材３の端部３ａを断熱材３の上面に重ねる。断熱材３のこの折り返し屈曲は、切り込み５の上端に残存する断熱材３の一部を折り曲げるか破断させることによって容易におこなわれるものであり、このように切り込み５の上端に残存する部分が破断しても、断熱材３の上面にはシート材４が貼ってあるので、断熱材３の折り返した端部３ａが分離することをこのシート材４で防ぐことができる。
【００２４】
そしてこのように断熱材３の両端部３ａを上側に折り返し屈曲して、屋根用断熱部材Ａの幅寸法Ｌ２を垂木１の間隔寸法Ｌ１に適合させた状態で、図１（ｃ）に示すように垂木１間に屋根用断熱部材Ａを配置して野地板２の下側に取り付けるものである。従って、垂木１の間隔寸法にばらつきがあっても、断熱材３を折り返し屈曲する切り込み５の位置を選択することによって、屋根用断熱部材Ａの幅寸法を調節することで対応することができるものであり、施工現場で垂木１の間隔寸法のばらつきに対処して屋根用断熱部材Ａの取り付けを行なうことが可能になるものである。
【００２５】
ここで上記のように、垂木１の間隔が４５５ｍｍに設計される尺モジュール住宅の場合、幅寸法が４７５ｍｍの断熱材３が用いられるので、垂木１の間隔寸法Ｌ１が設計通りであれば、両側端から１０ｍｍの箇所の切り込み５で断熱材３を折り返し屈曲することによって、屋根用断熱部材Ａの幅寸法Ｌ２を垂木１の間隔寸法Ｌ１に適合させることができるものである。また垂木１の間隔寸法Ｌ１が例えば部分的に３００ｍｍと狭く形成されている場合には、両側端から８５ｍｍの箇所の切り込み５で断熱材３を折り返し屈曲することによって、屋根用断熱部材Ａの幅寸法Ｌ２を垂木１の間隔寸法Ｌ１にほぼ適合させることができるものであり、このような垂木１の間隔寸法Ｌ１の大きな変動に対処して、屋根用断熱部材Ａの取り付けを行なうことが可能になるものである。
【００２６】
尚、断熱材３の幅寸法Ｌ２が垂木１間の間隔寸法Ｌ１より若干大きめになるように、断熱材３の両側端部の切り込み５を選択するのが好ましく、このようにすれば断熱材３の両側端面を垂木１の側面に密着させることができ、隙間が生じないようにすることができるものである。
【００２７】
また、このように切り込み５の箇所で断熱材３の端部を折り返し屈曲すると、断熱材３の両側端の上面には折り返した端部３ａが載置されているので、この断熱材３の端部３ａがスペーサとなって、断熱材３の上面と野地板２の下面の間に通気間隙８が形成されるものである。従って、スペーサを別途用いるような必要なく、通気間隙８を形成することができるものである。
【００２８】
図３（ａ）（ｂ）は屋根用断熱部材Ａの垂木１間への留め付けの構造を示すものである。
【００２９】
図３（ａ）の態様では、上端に上係止片２０を、下端に下係止片２１を逆向きの側方へ突出させて断面Ｚ型に形成した留め金具２２を用いるようにしてある。すなわちこのものは、垂木１の上端に上係止片２０を係止してビス２３止めすることによって留め金具２２を取り付け、垂木１間に上側から屋根用断熱部材Ａを差し込んで断熱材３の側端部を留め金具２の下係止片２１の上に載置して係止させるようにしたものである。従ってこのものでは、垂木１に野地板２を取り付ける前に屋根面から屋根用断熱部材Ａの取り付けを行なうことになる。
【００３０】
図３（ｂ）の態様では、上端に係止片２４を側方へ突出して設けて形成した断面倒Ｌ型の留め金具２５を用いるようにしてある。すなわちこのものは、垂木１間に下側から屋根用断熱部材Ａを差し込み、断熱材３の下側において留め金具２５を垂木１の側面の下部にビス２３止めして、断熱材３の側端部を係止片２４の上に載置して係止させるようにしたものである。従ってこのものでは、垂木１に野地板２を取り付けた後に、小屋裏側から屋根用断熱部材Ａの取り付けを行なうことになる。
【００３１】
ここで、屋根用断熱部材Ａにおいて断熱材３の上面に貼り付けるシート材４として、上記では不織布を例示したが、このシート材４としてアルミニウムシートを用いることもできる。このようにアルミニウムシートをシート材４として断熱材３の上面に貼り付けることによって、屋根面を通過する熱線をアルミニウムシートで反射して遮断することができるものであり、屋根面での断熱効果を高く得ることができるものである。
【００３２】
図４は本発明の他の実施の形態を示すものである。このものでは、断熱材３の下面において切り込み５を設けた部分に補強シート６を接着して貼り付けてある。補強シート６は断熱材３の下面の全面に貼り付けてもよいが、少なくとも、切り込み５を設けた部分に貼り付けるものである。また補強シート６としては任意のものを用いることができるが、カッターナイフなどで容易に切断することができる樹脂フィルムなどが好ましい。
【００３３】
屋根用断熱部材Ａにおいて断熱材３の両側端部には複数本ずつの切り込み５が設けてあるので、運搬時や施工時などの際に、切り込み５に引っ掛かったりなどして断熱材３の側端部がこの切り込み５で折れたりするおそれがあるが、このように断熱材３の切り込み５を設けた部分に補強シート６を接着して貼り付けておくことによって、このような引っ掛かりなどで切り込み５の箇所に折れ曲がりが発生することを防ぐことができるものである。そして上記のように屋根用断熱部材Ａを垂木１の間に取り付ける施工を行なう際には、断熱材３を折り返し屈曲する切り込み５の箇所において補強シート６をカッターナイフ等で切断すればよく、補強シート６で施工に支障が生じることはない。また、図３（ａ）（ｂ）のように留め金具２２，２５で断熱材３の側端部を係止して屋根用断熱部材Ａの取り付けを行なうにあたって、留め金具２２，２５に係止される断熱材３の側端部を補強シート６で補強することができ、屋根用断熱部材Ａの取り付けの強度を向上することもできるものである。
【００３４】
次に、上記の屋根用断熱部材Ａを用いた換気屋根の換気構造について説明する。図５は棟頂部の部分を示すものであり、棟を挟んで配置される左右の垂木１の上端は棟木２７に接続してある。この垂木１の上に取り付けられる野地板２の棟側上端には切欠して換気口７が形成してあり、小屋裏空間はこの換気口７によって外気と連通している。図５において２８は野地板２の上に敷かれた防水シートであり、この防水シート２８を介して野地板２の上に屋根瓦２９が葺設してある。また棟頂部には、換気口７を覆うように換気棟包３０が取り付けてある。換気棟包３０は断面逆Ｖ字形の棟包本体３１の両側の下面に脚板３２を取り付けて形成されるものであり、換気口７の直上において棟の両側に股がせて棟包本体３１を配置し、脚板３２を野地板２にビス２３で固定することによって、換気棟包３０の取り付けを行なうようにしてある。
【００３５】
図６は外壁と軒天井の部分を示すものであり、柱３４の屋外側に透湿防水シート３５を介して縦胴縁３６を取り付け、縦胴縁３６の屋外側に外壁板３７が取り付けてある。縦胴縁３６がスペーサとなって透湿防水シート３５と外壁板３７の間に上下方向の壁通気層３９が形成されるものである。外壁板３７の上端位置において壁面から張り出すように軒天井材４０が設けてあり、また垂木１の軒側先端に鼻板４１を介して鼻隠し４２が取り付けてある。野地板２の下側においてこの鼻隠し４２と軒天井材４０に囲まれる部分に軒裏の小屋裏空間が形成されるものである。壁通気空層３９の上端はこの小屋裏空間に連通されるようにしてあり、壁通気層３９を上昇した空気は小屋裏空間に流入し、さらに小屋裏空間の空気は換気口７から外部に排出され、換気が行なわれるようになっている。
【００３６】
そして垂木１間には既述のように屋根用断熱部材Ａが取り付けてあり、屋根用断熱部材Ａの断熱材３と野地板２の間に通気間隙８が形成されている。この通気間隙８は、その棟側上端において換気口７や小屋裏空間に連通しており、また軒側下端において小屋裏空間に連通している。
【００３７】
太陽熱など外気の熱は、屋根瓦２９や野地板２を通して小屋裏に作用するが、上記のように野地板２の下側には屋根裏断熱部材Ａの断熱材３が張ってあるので、この断熱材３の断熱作用で外気の熱が屋根面から小屋裏に伝わることを防ぐことができるものであり、また断熱材３と野地板２の間には通気間隙８が形成してあるので、この通気間隙８の空間によっても熱が伝わることを防ぐことができるものであり、屋根面での断熱効果を二重に高く得ることができるものである。
【００３８】
しかも、換気屋根では上記のように通気間隙８は換気口７や小屋裏空間と連通しているので、通気間隙８内の空気が外気の熱で加熱された場合、この加熱された空気は通気間隙８内を上昇して、通気間隙８の棟側上端部の開口から換気口７を通して屋外に放出され、また小屋裏の比較的温度の低い空気が軒側下端部の開口から通気間隙８内に流入する。このように通気間隙８内の空気は換気されて、通気間隙８内に空気が滞留して温度上昇することを防ぐことができるものであり、通気間隙８内の空気で屋外の熱が屋根面を通して小屋裏に作用することを遮断する効果を高く得ることができるものである。
【図面の簡単な説明】
【００３９】
【図１】本発明の実施の形態の一例を示すものであり、（ａ）（ｂ）は屋根用断熱部材の正面図、（ｃ）は屋根用断熱部材を垂木間に取り付けた状態の断面図である。
【図２】同上の屋根用断熱部材を示す底面図である。
【図３】同上の屋根用断熱部材の取り付けを示すものであり、（ａ）（ｂ）はそれぞれ一部の拡大した断面図である。
【図４】屋根用断熱部材の他の実施の形態を示す正面図である。
【図５】換気屋根の棟頂部の部分を示す断面図である。
【図６】換気屋根の外壁と軒天井の部分を示すものであり、（ａ）は断面図、（ｂ）は斜視図である。
【図７】垂木と野地板からなる屋根下地を示すものであり、（ａ）は正面断面図、（ｂ）は側面断面図である。
【図８】従来例を示すものであり、（ａ）（ｂ）はそれぞれ断面図である。
【符号の説明】
【００４０】
１  垂木
２  野地板
３  断熱材
４  シート材
５  切り込み
６  補強シート
７  換気口
８  通気間隙
【図１】
2010007378.tif 000003
【図２】
2010007378.tif 000004
【図３】
2010007378.tif 000005
【図４】
2010007378.tif 000006
【図５】
2010007378.tif 000007
【図６】
2010007378.tif 000008
【図７】
2010007378.tif 000009
【図８】
2010007378.tif 000010